(57)【要約】【課題】限られた建物ユニットの空間を間仕切壁によって、それぞれ独立して２個の部屋を設置することができる建物ユニット及びその建物ユニットを複数個接合して狭小敷地に好適な集合住宅用ユニット建物を提供すること。【解決手段】略箱形で平面矩形の建物ユニット１０が平面視短辺側ａから長辺方向ｂに沿って間仕切壁１１によって区画され、該間仕切壁１１は一部折れ曲１１ｃがり部を有し、それぞれ独立して複数の居住空間１５ａ，１５ｂが設置されている。【選択図】図１
2004011297.tif 000002
【特許請求の範囲】
【請求項１】
略箱形で平面矩形の建物ユニットが平面視短辺側から長辺方向に沿って間仕切壁によって区画され、該間仕切壁は一部折れ曲がり部を有し、それぞれ独立して複数の居住空間が設置されていることを特徴とする建物ユニット。
【請求項２】
前記建物ユニットが平面視短辺側から長辺方向に沿って間仕切壁によって区画され、該間仕切壁は一部折れ曲がり部を有し、それぞれ独立して複数の居住空間となる部屋は、間仕切壁の一部が縦断面視コの字状に折れ曲がり、各部屋の一部が互いに上下に分割区画されていることを特徴とする請求項１記載の建物ユニット。
【請求項３】
前記建物ユニットが平面視短辺側から長辺方向に沿って間仕切壁によって区画され、該間仕切壁は一部折れ曲がり部を有し、それぞれ独立して複数の居住空間となる部屋は、間仕切壁の一部が縦断面視コの字状に折れ曲がり、各部屋の一部が互いに上下に分割区画され、それぞれベッドが設置できる居住空間とされていることを特徴とする請求項１記載の建物ユニット。
【請求項４】
前記建物ユニットが複数個長辺方向に沿って隣接して上下左右に接合してなるユニット建物。
【発明の詳細な説明】
【０００１】
【発明の属する技術分野】
本発明は、一個の建物ユニットの平面視短辺側から長辺方向に沿って間仕切壁によって区画され、該間仕切壁は一部折れ曲がり部を有し、それぞれ独立して２個の部屋を設置することができる建物ユニット及びその建物ユニットを複数個接合してなるユニット建物に関する。
【０００２】
【従来の技術】
従来、略箱形で平面矩形の１個の建物ユニットは道路交通法上、短辺側の幅が２．５ｍｍ以下に規制されており、通常のプランニングでは１個の建物ユニットの平面視短辺側から長辺側に間仕切りして、それぞれ独立して複数の居住空間となる部屋を設けることは難しかった。例えば図４の平面図（特開平５−１９５５９３号公報）は一般的な建物ユニットの中を区画する例が示されている。図示のように床部２００上の外縁部に外壁パネル２２０が立設され建物ユニットの基本的部分が構成されている。そして、外壁パネル２２０間に間仕切壁２４０が設けられ、建物ユニット内が長辺側から短辺側に沿って２つに分割されている。
【０００３】
又、建物ユニットを上下左右に隣接配置して一戸建て或いは集合住宅のユニット建物ができる。特に集合住宅は、可能な限りシンプルな住宅構造として、工業化を図りやすく、かつ現場での施工性に優れるよう設計されている。
【０００４】
【発明が解決しようとする課題】
しかしながら、図４に示す建物ユニットは長辺側から短辺側に沿って２つに分割され、間仕切壁１４０の凹部は収納スペースとされ、１個の建物ユニットを短辺側から長辺側に沿って２つに分割されてそれぞれ独立した部屋を設けられた例は無い。又、集合住宅においては、各戸が、限られたスペースで間取りを設計しなければならないので、玄関や収納スペースの大きさや配置を十分に考えないと十分な広さの居住空間を設けることが難しい。
【０００５】
そこで、この発明は、限られた建物ユニットの空間を平面視短辺側から長辺方向に沿って間仕切壁によってされ、該間仕切壁は一部折れ曲がり部を有し、それぞれ独立して２個の部屋を設置することができる建物ユニット及びその建物ユニットを複数個接合して狭小敷地に好適な集合住宅用ユニット建物を提供することにある。
【０００６】
【課題を解決するための手段】
上記課題を解決するため、請求項１記載の発明は、略箱形で平面矩形の建物ユニットが平面視短辺側から長辺方向に沿って間仕切壁によって区画され、該間仕切壁は一部折れ曲がり部を有し、それぞれ独立して複数の居住空間が設置されていることを特徴とする建物である。
【０００７】
このように構成すれば、この建物ユニットの間仕切壁の一部折曲がり部は収納スペース等に空間を有効利用でき、該建物ユニットを隣接配置することにより居住空間を有効に利用した集合住宅用のユニット建物が提供される。
【０００８】
請求項２記載の発明は、前記建物ユニットが平面視短辺側から長辺方向に沿って間仕切壁によって区画され、該間仕切壁は一部折れ曲がり部を有し、それぞれ独立して複数の居住空間となる部屋は、間仕切壁の一部が縦断面視コの字状に折れ曲がり、各部屋の一部が互いに上下に分割区画されていることを特徴とする請求項１記載の建物ユニットである。
【０００９】
このように構成すれば、この建物ユニットを隣接配置することにより上下の居住空間を有効に利用した集合住宅用のユニット建物が提供される。
【００１０】
請求項３記載の発明は、前記建物ユニットが平面視短辺側から長辺方向に沿って間仕切壁によって区画され、該間仕切壁は一部折れ曲がり部を有し、それぞれ独立して複数の居住空間となる部屋は、間仕切壁の一部が縦断面視コの字状に折れ曲がり、各部屋の一部が互いに上下に分割区画され、それぞれベッドが設置できる居住空間とされていることを特徴とする請求項１記載の建物ユニットである。
【００１１】
このように構成すれば、この建物ユニットを隣接配置することにより上下の居住空間を寝室として有効に利用した集合住宅用のユニット建物が提供される。
【００１２】
請求項４記載の発明は、前記建物ユニットが複数個長辺方向に沿って隣接して上下左右に接合してなるユニット建物である。
【００１３】
このように構成すれば、このユニット建物は、狭小敷地に好適な集合住宅用ユニット建物を提供することことができる。
【００１４】
【発明の実施の形態】
以下、一個の建物ユニットの短辺側から長辺方向に沿って間仕切壁によって区画され、該間仕切壁は一部折れ曲がり部を有し、それぞれ独立して複数の居住空間となる部屋は、間仕切壁の一部が縦断面視コの字状に折れ曲がり、各部屋の一部が互いに上下に分割区画され、それぞれベッドが設置できる居住空間とされている場合を一例として本発明の実施の形態について図１、図２を参照しながら詳細に説明する。
【００１５】
図１は本発明の実施の形態を示す建物ユニットの平面図、図２は図１のＡ−Ａ線縦断面図である。この実施の形態の建物ユニット１０は、図１に示すように、間仕切壁１１により、短辺側ａから長辺側ｂに沿って１１ａ、１１ｂ，１１ｃ、１１ｄ，１１ｅのようにコの字状に折れ曲がり、独立した部屋１５ａ，１５ｂに区画されている。それぞれ独立した部屋１５ａ，１５ｂは出入り口１２ａ，１２ｂ，収納部１３ａ，１３ｂ及び机１４ａ，１４ｂが設けられている。
【００１６】
図１のＡ−Ａ線縦断面から見た建物ユニット１０は、図２に示すように、間仕切り壁１１により、間仕切壁１１の一部が１１ｆ，１１ｇ，１１ｈ，１１ｉ，１１ｊのように縦断面視コの字状に折れ曲がり、各部屋１５ａ，１５ｂの一部が上下に分画区分され、それぞれベッド１７ａ，１７ｂが置かれる空間１８ａ，１８ｂを有している。又天井部１９ａ，１９ｂには天井収納部１６ａ，１６ｂが設けられている。このため、建物ユニット１０はユニット内を２つの部屋１５ａ，１５ｂに分けられると共に縦横を有効に利用したベッドルームとなる空間１８ａ，１８ｂを確保することができる。
【００１７】
図３は本発明の建物ユニットを組み合わせてなる集合住宅用のユニット建物を示す斜視図である。図３に示すように、集合住宅用のユニット建物１００は１階部分に４個、２階部分に４個、計８個の建物ユニット１０からできている。２階部分の出入り用の外階段２０が取付けられている。
建物ユニット１０はそれぞれ出入口１２ａ，１２ｂの２つの部屋を有するので、８つの建物ユニット１０からなる集合住宅用のユニット建物１００は１６個の独立した部屋を有することになるので、狭い敷地で多数の人の宿泊が可能である。
【００１８】
【発明の効果】
請求項１記載の発明によれば、この建物ユニットの間仕切壁の一部折曲がり部は収納スペース等に空間を有効利用でき、該建物ユニットを隣接配置することにより居住空間を有効に利用した集合住宅用のユニット建物が提供される。
【００１９】
請求項２記載の発明によれば、この建物ユニットを隣接配置することにより上下の居住空間を有効に利用した集合住宅用のユニット建物が提供される。
【００２０】
請求項３記載の発明によれば、この建物ユニットを隣接配置することにより上下の居住空間を寝室として有効に利用した集合住宅用のユニット建物が提供される。
【００２１】
請求項４記載の発明によれば、このユニット建物は、狭小敷地に好適な集合住宅用ユニット建物を提供することことができる。
【図面の簡単な説明】
【図１】本発明の実施の形態を示す建物ユニットの平面図である。
【図２】図１のＡ−Ａ線縦断面図である。
【図３】本発明の建物ユニットを組み合わせてなる集合住宅用のユニット建物を示す斜視図である。
【図４】従来の建物ユニットの間仕切り構造を示す平面図である。
【符号の説明】
１０　　　　　　　　　　　　　　　　　建物ユニット
１１（１１ａ〜１１ｊ）　間仕切壁
１２（１２ａ，１２ｂ）　出入口
１３（１３ａ，１３ｂ）　収納部
１４（１４ａ，１４ｂ）　机
１５（１５ａ，１５ｂ）　部屋
１６（１６あ、１６ｂ）　天井収納部
１７（１７ａ，１７ｂ）　ベッド
１８（１８ａ，１８ｂ）　空間
２０　　　　　　　　　　　　　　　　　　　　外階段
１００　　　　　　　　　　　　　　　　　　ユニット建物
【図１】
2004011297.tif 000003
【図２】
2004011297.tif 000004
【図３】
2004011297.tif 000005
【図４】
2004011297.tif 000006